(57)【要約】【課題】シャッターカーテン１を巻取りドラム２に連結するための吊元金具７が左右に位置ズレするのを、該吊元金具７を容易に交換できる等のメンテナンス性を確保できる状態で防止する。【解決手段】吊元金具７が奇数組設けられる場合、左右方向中央の吊元金具７の左右両端部に、下半部８ｂがビス９によりシャッターカーテン１に着脱自在に固定されたズレ防止金具８の上半部８ａを当接させることで、メンテナンス性を確保できる状態で左右ズレ防止をするようにした。【選択図】図４
2014105537.tif 000002
【特許請求の範囲】
【請求項１】
シャッターカーテン最上端と巻取りドラムとを、左右複数組の吊元金具を介して連結してなる建築用シャッター装置において、下端部がシャッターカーテン上端部にインターロック結合される吊元金具のシャッターカーテンに対する左右ズレ防止をするにあたり、上半部の左右方向一端が吊元金具下端部の左右一方の端縁に当接し、下半部がシャッターカーテンの最上端スラットの巻取りドラムとは反対側の面に積層するズレ防止金具を、該ズレ防止金具の下半部を巻取りドラムとは反対側の面からビスを螺入してシャッターカーテンの最上端スラットに着脱自在に固定して吊元金具のシャッターカーテンに対するズレ防止をする構成にしたことを特徴とする建築用シャッター装置。
【請求項２】
ズレ防止金具の上半部は、吊元金具の巻取りドラムが配される側とは逆側から目視される部位の下端部の左右一方の端縁に当接するものであることを特徴とする請求項１記載の建築用シャッター装置。
【請求項３】
吊元金具は複数組みがシャッターカーテンの左右中心線に対して対称状に設けられるものとし、ズレ防止金具は、一対が前記中心線に対して対称状に設けられるものであることを特徴とする請求項１または２に記載の建築用シャッター装置。
【請求項４】
ズレ防止金具は、吊元金具が奇数組である場合には中心位置にある吊元金具の左右両側端に当接するように設けられ、偶数組である場合には中心位置に隣接する左右両側の吊元金具の中心側端に当接するように設けられるものであることを特徴とする請求項３記載の建築用シャッター装置。
【発明の詳細な説明】
【技術分野】
【０００１】
本発明は、建築物の開口部に建て付けられる建築用シャッター装置の技術分野に関するものである。
【背景技術】
【０００２】
一般に、この種の建築用シャッター装置においては、シャッターカーテンと巻取りドラムとを複数組の吊元金具を介して連結しているが、該吊元金具は、幅狭にしたスラットの複数枚を上下方向に連続したもので構成され、上端を巻き取りドラムにボルト等の固定金具を用いて固定し、下端をシャッターカーテン最上段のスラットにインターロック結合により連結している。吊元金具を構成するスラット同士は左右端部をカシメ固定することにより左右のズレ防止をしているが、吊元金具の下端とシャッターカーテンの上端とは単にインターロック結合していたに過ぎないため左右にずれてしまうという問題がある。
そこで従来、吊元金具の下端とシャッターカーテンの上端とをカシメ固定するようにしたものが提唱されている（例えば特許文献１参照）。ところで吊元金具の取り付けをする際に、シャッターカーテンの左右バランスを確保したりするため、取り付け現場で吊元金具の微妙な位置調整をする必要があるが、吊元金具とシャッターカーテンとが予めカシメ固定されていると、この位置調整ができないという問題がある。そこで現場でカシメ固定することが考えられるが、重量シャッターのようにスラットの厚さが１ｍｍを超えるようなものでは、材料自体が硬くて現場でのカシメ作業が事実上難しいという問題がある。
そこで吊元金具の下端とシャッターカーテンの上端とを溶着することで固定するようにしたものが提唱されている（例えば特許文献２参照）。
【先行技術文献】
【特許文献】
【０００３】
【特許文献１】実開昭６０−１７４７９５号の全文公開公報
【特許文献２】実公平５−３６０７１号公報
【発明の概要】
【発明が解決しようとする課題】
【０００４】
ところで建築用シャッター装置においては、閉作動の過程においてシャッターカーテンが全閉したにも拘らず巻取りドラムがさらに閉作動側に回転することがあり、このようになると吊元金具が逆巻き状態になって変形する場合がある。そして吊元金具が変形した状態でシャッターカーテンを巻き取ると、左右の巻きバランスが崩れて左右の巻き径が異なってしまう惧れがあり、このようになると、例えば全開したとき座板がシャッターケースのボトム面（フロア面）に対して傾斜状態になって左右が均等に納まらない等、不具合発生の要因となる。そこでこのようになったときには吊元金具を交換する必要があるが、吊元金具とシャッターカーテンとを溶着したものである場合、高所にある溶着部分をサンダー（グラインダー）のような切削工具を用いて削り取る必要があって吊元金具の交換に手間がかかるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シャッターカーテン最上端と巻取りドラムとを、左右複数組の吊元金具を介して連結してなる建築用シャッター装置において、下端部がシャッターカーテン上端部にインターロック結合される吊元金具のシャッターカーテンに対する左右ズレ防止をするにあたり、上半部の左右方向一端が吊元金具下端部の左右一方の端縁に当接し、下半部がシャッターカーテンの最上端スラットの巻取りドラムとは反対側の面に積層するズレ防止金具を、該ズレ防止金具の下半部を巻取りドラムとは反対側の面からビスを螺入してシャッターカーテンの最上端スラットに着脱自在に固定して吊元金具のシャッターカーテンに対するズレ防止をする構成にしたことを特徴とする建築用シャッター装置である。
請求項２の発明は、ズレ防止金具の上半部は、吊元金具の巻取りドラムが配される側とは逆側から目視される部位の下端部の左右一方の端縁に当接するものであることを特徴とする請求項１記載の建築用シャッター装置である。
請求項３の発明は、吊元金具は複数組みがシャッターカーテンの左右中心線に対して対称状に設けられるものとし、ズレ防止金具は、一対が前記中心線に対して対称状に設けられるものであることを特徴とする請求項１または２記載の建築用シャッター装置である。
請求項４の発明は、ズレ防止金具は、吊元金具が奇数組である場合には中心位置にある吊元金具の左右両側端に当接するように設けられ、偶数組である場合には中心位置に隣接する左右両側の吊元金具の中心側端に当接するように設けられるものであることを特徴とする請求項３記載の建築用シャッター装置である。
【発明の効果】
【０００６】
請求項１の発明とすることにより、吊元金具のズレ防止をするためのズレ防止金具が、吊元金具の左右一方の端部の当接する状態でシャッターカーテンに対してビスを介して着脱自在に設けられることになって、吊元金具の交換が容易にでき、メンテナンス性が向上する。
請求項２の発明とすることにより、ズレ防止金具を短いものにできて巻き太りを回避する状態でズレ防止金具による吊元金具のズレ防止を確実に行うことができる。
請求項３の発明とすることにより、ズレ防止金具をシャッターカーテンの巻取りドラムとは反対側に積層状に設けながら、シャッターカーテンの左右の巻きバランスが損なわれることがなく、片太り状態でシャッターカーテンが巻装されてしまうようなことを回避することができる。
請求項４の発明とすることにより、吊元金具の組み込み数が奇数組、偶数組に拘わらず左右対称に設けられることになってシャッターカーテンの左右の巻きバランスが損なわれることがない。
【図面の簡単な説明】
【０００７】
【図１】建築用シャッター装置の概略正面図である。
【図２】（Ａ）、（Ｂ）は吊元金具を奇数組設けた場合のシャッターカーテンの正面図、要部拡大正面図である。
【図３】（Ａ）、（Ｂ）は吊元金具を偶数組設けた場合のシャッターカーテンの正面図、要部拡大正面図である。
【図４】（Ａ）、（Ｂ）、（Ｃ）、（Ｄ）は第一の実施の形態の巻取りドラム部位の縦断面図、ズレ防止金具の正面図、ズレ防止金具の断面図、インターロック結合部位の垂下状態の断面図である。
【図５】（Ａ）、（Ｂ）、（Ｃ）は第二の実施の形態の巻取りドラム部位の縦断面図、ズレ防止金具の正面図、ズレ防止金具の断面図である。
【図６】（Ａ）、（Ｂ）、（Ｃ）、（Ｄ）は第三の実施の形態の巻取りドラム部位の縦断面図、ズレ防止金具の正面図、ズレ防止金具の断面図、インターロック結合部位の垂下状態の断面図である。
【図７】（Ａ）、（Ｂ）、（Ｃ）は第四の実施の形態の巻取りドラム部位の縦断面図、ズレ防止金具の正面図、ズレ防止金具の断面図である。
【図８】（Ａ）、（Ｂ）、（Ｃ）は第五の実施の形態の巻取りドラム部位の縦断面図、ズレ防止金具の正面図、ズレ防止金具の断面図である。
【図９】（Ａ）、（Ｂ）、（Ｃ）、（Ｄ）、（Ｅ)は第六の実施の形態の巻取りドラム部位の縦断面図、ズレ防止金具の正面図、ズレ防止金具の断面図、インターロック結合部のズレ防止金具を省略した垂下状態の断面図、インターロック結合部のズレ防止金具を記載した垂下状態の断面図である。
【図１０】（Ａ）、（Ｂ）、（Ｃ）は第七の実施の形態の巻取りドラム部位の縦断面図、ズレ防止金具の正面図、ズレ防止金具の断面図である。
【図１１】（Ａ）、（Ｂ）、（Ｃ）は第八の実施の形態の巻取りドラム部位の縦断面図、ズレ防止金具の正面図、ズレ防止金具の断面図である。
【発明を実施するための形態】
【０００８】
以下、本発明の実施の形態について、図面に基づいて説明する。図面において、１は建築用電動シャッター装置のシャッターカーテンであって、該シャッターカーテン１は、複数毎のスラット１ａの上下を互いにインターロック結合Ｂして上下方向に一連状に連結して構成したものであり、そしてシャッターカーテン１は、開口部の上端に配した巻取りドラム２に巻装され、開閉機３の正逆駆動に基づいて開口部左右に設けたガイドレール４に案内される状態で開口部の開閉作動をするようになっていること等は何れも従来どおりである。
なお、図中、５は開閉停の押しボタンスイッチ、６は開閉機３の開閉駆動制御をする制御部である。
【０００９】
シャッターカーテン１は、巻取りドラム２に複数組の吊元金具７を介して連結されるが、図２に示す実施の形態のものは奇数組（例えば５組）、図３に示す実施の形態のものは偶数組（例えば４組）であるが、これらに用いられる吊元金具７は、シャッターカーテン１を構成するスラット１ａと同じスラット７ａについて左右幅を短くしたものを用いて構成されている。吊元金具７のスラット７ａ同士は、上下端部同士を互いにインターロック結合Ｂにより連結され、左右両端部をカシメ固定（図示せず）することにより左右のズレ防止が図られている。また吊元金具７の上端部はボルト等の固定金具１０を介して巻取りドラム２に着脱自在に連結固定される。
【００１０】
因みに吊元金具７は、シャッターカーテン１を構成するスラット１ａと同じスラットを採用して構成する必要はなく、吊元金具７の最下端スラット７ａの下側インターロック結合部７ｂとシャッターカーテン１の最上端スラット１ａのインターロック結合部１ｂとをインターロック結合Ｂするように構成されていればよいのであるが、吊元金具７をシャッターカーテン１のスラット１ａを用いて構成することで、別部材をいちいち用意する必要がなく部品の有効利用が図れ、コストダウンに寄与できる、という利点がある。
【００１１】
前記複数組の吊元金具７は、前述したように、最下端スラット７ａの下側インターロック結合部７ｂを、シャッターカーテン１の最上段スラット１ａの上側インターロック結合部１ｂにインターロック結合Ｂすることにより連結されるが、吊元金具７は、現場組み込みされるとき、シャッターカーテン１の左右方向中心位置を対称芯として左右対称となるよう位置調整され、そして図２（Ａ）に示すように吊元金具７が奇数組設けられたものにおいては、左右中心位置にある吊元金具７の左右両端部および最上段スラット１ａにズレ防止金具８を当てがう状態で該ズレ防止金具８を最上段スラット１ａに対してビス９を介して着脱自在に固定することになり、これにより吊元金具７は、シャッターカーテン１に対して左右対称となる状態で左右位置ズレ防止するよう構成されたものであり、また図３に示すように吊元金具７が偶数組設けられているものにおいては、左右中心に対し左右両側にある一対の吊元金具７の左右内端部および最上段スラット１ａにズレ防止金具８を当てがう状態で該ズレ防止金具８を最上段スラット１ａに対してビス９を介して着脱自在に固定することでシャッターカーテン１に対して左右対称となる状態で左右位置ズレ防止するよう構成することが好ましいが、これに限定されることなく、例えば、左右両端部にある吊元金具７の左右外端部同士、左右内端部同士のように左右対称状にズレ防止金具８を設けたものだけでなく、任意の一つの吊元金具７の左右何れか一端と他の吊元金具の左右他端とにズレ防止金具８を設けて前記ズレ防止処理するようにしても良い。
【００１２】
図４に示す第１の実施の形態のものは、シャッター装置を開口部に建て付けたとき、シャッターカーテン１の屋内側面は巻取りドラム２に対向する側の面であり、屋外側面は巻取りドラム２とは反対側の面であるが、このものにおいて、雨水がシャッターカーテン１のカーテン面に当たって流れ落ちる場合に、雨水が当たった面が、シャッターカーテン１の巻取りドラム２に対向する側の面である場合、該流れ落ちる雨水は、インターロック結合Ｂ部内に入り込んで溜まることになるが、シャッターカーテン１の巻取りドラム２とは反対側の面である場合、流れ落ちる雨水はインターロック結合Ｂ部を越えて下のスラット１ａに流れ落ちることになるため、こちらの面が屋外側面であり、このようにして屋内外の出入口に建て付けられる場合、シャッターカーテン１においてどちらの面が屋外側の面であるかの判別ができるようになっている。
【００１３】
そしてこのように、シャッターカーテン１が、巻取りドラム２とは反対側面が屋外側面である場合には、前述したように、吊元金具７は、最下端スラット７ａの下側インターロック結合部７ｂが最上段スラット１ａの上側インターロック結合部１ｂにインターロック結合Ｂされることになるが、このインターロック結合Ｂは、垂下状態において、上側インターロック結合部１ｂが、結合基端部１ｃから結合先端部１ｄが巻取りドラム２から離間する側に向けて逆Ｕ字形に折り返し形成され、下側インターロック部７ｂが、結合基端部７ｃから結合先端部７ｄが巻取りドラム２に近接する側に向けてＵ字形に折り返し形成されているもの同士を、下側インターロック結合部７ｂ側の結合先端部７ｄが巻取りドラム２に近接し、上側インターロック結合部１ｂ側の結合先端部１ｄが巻取りドラム２から離間する側に位置するよう互いに揺動自在に係止することで形成されているものであるから、吊元金具７における下側インターロック部７ｂの結合基端部７ｃが屋外側から目視されることになり、そこで前記ズレ防止金具８は、その上半部８ａの左右端縁を吊元金具最下端スラット７ａの下側インターロック結合部７ｂの前記屋外側（巻取りドラム２が配される側とは逆側）から目視される部位の下端部である結合基端部７ｃの左右両端部に当てがう一方、下半部８ｂをシャッターカーテン最上端スラット１ａの上側インターロック結合部１ｂに対して下側隣接位置の屋外側面（巻取りドラム２とは逆側の面）から積層状に当てがった状態で、該下半部８ｂに穿設したビス孔８ｃを通したビス（タッピンネジ）９を介して巻取りドラム２が配される面とは反対側の面から着脱自在に固定されることになり、これによって左右方向中央部の吊元金具７のシャッターカーテン１に対する左右ズレ防止機能が発揮され、同時に残りの吊元金具７についても左右ズレ防止も達成できるようになっている。
因みに、ズレ防止金具８の下半部８ｂは、最上段スラット１ａのスラット面に隙間のない状態で積層されるように加工され、これによってシャッターカーテン１を巻き取りドラム２に巻装した場合の巻き太り発生を解消すると共に、ズレ防止金具８は、前述したように左右対称状に設けられることになって左右の巻きバランスが崩れてしまうことがないように配慮されている。
【００１４】
叙述の如く構成された本発明の実施の形態において、シャッターカーテン１を巻取りドラム２に吊り込むための吊元金具７は、ズレ防止金具８によって左右ズレ防止がなされるようになっているが、建築用シャッター装置が現場に搬入された状態ではズレ防止金具８が取付けられていない状態となっており、この状態で建築用シャッター装置を現場開口部に建て付けた後、開閉機３を駆動してシャッターカーテン１を閉作動させるが、全閉姿勢から僅かではあるが、さらに閉作動させて（逆巻きにならない程度）から停止する。この場合、例えば、押しボタンスイッチ５について特殊操作をして押し切りモード（押し操作しているあいだけ開閉機３が開閉駆動するモード）に切換えておくことで実施することができる。さらには、開閉機３に設けられるブレーキを開放したり、下限リミットスイッチを効かないようにしてシャッターカーテンを下限位置よりも下降させるようにしても実施することができる。
【００１５】
このようにシャッターカーテン１は、全閉姿勢（緊張した面一状の姿勢）より繰出されると、緊張が解かれてガイドレール４の案内溝に頼った弛緩姿勢となる。この弛緩姿勢において、吊元金具８を左右にずらして左右対称となるよう位置調整をした後、ズレ防止金具８をビス９でシャッターカーテン１に固定することにより吊元金具８のズレ防止がなされる。
【００１６】
一方、吊元金具７を交換する場合、前述したように、シャッターカーテン１を全閉姿勢から僅かではあるが、さらに閉作動させて弛緩姿勢にする。このようにシャッターカーテン１の弛緩姿勢において、前記ビス９を外してズレ防止金具８を取り外すと共に、固定金具１０を外して吊元金具７を巻取りドラム２から取り外す。この状態で吊元金具７をシャッターカーテン１に対して左右何れか一方に移動させ、シャッターカーテン１とのインターロック結合を解除することで吊元金具７をシャッターカーテン１から簡単に取外すことができる。交換する吊元金具７は、上記とは逆作業をすることでズレ防止される状態で簡単に組み付けることができる。
【００１７】
このように本発明が実施されたものでは、吊元金具７のズレ防止をズレ防止金具８によって行っているが、該ズレ防止金具８は、ビス９によって簡単に着脱することができるため、位置調整した後のズレ防止金具８の取付けや交換時等においてサンダー等の特殊な工具を必要とすることなく簡単に行うことができる。
【００１８】
しかもこのものでは、ズレ防止金具８は、一対のものがシャッターカーテン１の左右幅中心を対称心として左右対称状に設けられているため、シャッターカーテン１が巻取りドラム２に巻き取られた場合、片太り状態になってしまうようなことがない。
【００１９】
そのうえこのものでは、ズレ防止金具８は、吊元金具７が奇数組組込まれている場合には左右中心位置にある吊元金具７の左右両側端に当接するように設けられ、偶数組である場合には左右中心位置に隣接する左右両側の吊元金具７の中心側端に当接するように設けられているから、吊元金具７の組み込み数が奇数組、偶数組に関係なく左右対称状に設けられることになってシャッターカーテン１の左右の巻きバランスが損なわれることがない。
【００２０】
また本第一の実施の形態では、ズレ防止金具８は、上半部８ａが、シャッターカーテン１の屋外側面が巻取りドラム２の配される側とは反対側面である場合において、吊元金具７の屋外側（巻取りドラム２が配される側とは逆側）から目視される部位の下端部である下側インターロック結合部７ｂの左右一方の端縁に当接したものとしているため、ズレ防止金具８の上半部８ａの上下長さを短いものにでき、ズレ防止金具８を用いて吊元金具７のズレ防止をしているものでありながら、巻き太りを可及的に回避することができる。
また、屋外側面が巻取りドラム２側の面である場合には後述するように、吊元金具７の屋外側に目視される部位の下端部、つまりシャッターカーテン最上段スラットの上側インターロック結合部を越えた部位の吊元金具の左右一方の端縁に当接するものであるから、シャッターカーテン１の屋外側面が巻取りドラム２がある側か反対側かに拘わらず、ズレ防止金具８による吊元金具７のズレ防止を確実に行うことができることになる。
【００２１】
尚、本発明は、前記実施の形態に限定されるものでないことは勿論であって、図５から図１１に示す第２の実施の形態のものから第８の実施の形態に示すような各種形状のシャッターカーテンにおいても同様にして実施することができる。
【００２２】
図５に示す第二の実施の形態のものは、第一の実施の形態のものと同様、シャッターカーテン１は、巻取りドラム２が配される側とは反対側の面が屋外側面となるものであって、ズレ防止金具８は、上半部８ａが、吊元金具７の下側インターロック結合部７ｂの屋外側において目視される部位の下端部の左右何れか一方の側縁に当接するようにして組み付けられる。
【００２３】
図６に示す第三の実施の形態のものは、シャッターカーテン１は、前記第一、第二の実施の形態とは逆に、巻取りドラム２が配される側の面が屋外側面となるものであって、この場合には、インターロック結合Ｂの垂下状態において、上側インターロック結合部１ｂが、結合基端部１ｃから結合先端部１ｄが巻取りドラム２に近接する側に向けて逆Ｕ字形に折り返し形成され、下側インターロック部７ｂが、結合基端部７ｃから結合先端部７ｄが巻取りドラム２から離間する側に向けてＵ字形に折り返し形成されているもの同士を、下側インターロック結合部７ｂ側の結合先端部７ｄが巻取りドラム２から離間し、上側インターロック結合部１ｂ側の結合先端部１ｄが巻取りドラム２に近接する側に位置するよう互いに揺動自在に係止することでインターロック結合Ｂされているものであるから、吊元金具７の屋外側（巻取りドラムが配される側とは逆側）から目視される部位の下端部は、シャッターカーテン１の最上段スラット１ａの上側インターロック結合部１ｂを越えた部位であり、そこでズレ防止金具８の上半部８ａを、吊元金具７の該部位の左右何れか一方の端縁に当接する状態で組み付けられている。
【００２４】
図７、図８に示す第四、第五の実施の形態のものは、前記第三の実施の形態のものと同様、巻取りドラム２が配される側の面が屋外側面となるものである（尚、図８に示す第五の実施の形態のものは屋内専用のものであるが、これを仮に屋内外の出入口に設けた場合、巻取りドラム２が配される側の面が屋外側面となる。）が、これらのものは、吊元金具８について、少なくとも最下段のスラット７ａについてはシャッターカーテン１を構成するスラット１ａを採用して形成しているが、残りの一部または全部を形状の異なるスラットを採用して形成している。そしてこれらのものも、ズレ防止金具８は、上半部８ａが、巻取りドラム２が配される側とは逆側、つまりインターロック結合部を越えた位置で吊元金具７の左右何れか一方の端縁に当接する状態で組み付けられている。
また、図９に示される第六の実施の形態のものは、シャッターカーテン１に防煙機能を備えさせるため特殊なインターロック結合Ｂを構成しているが、第一の実施の形態のものと同様、シャッターカーテン１は、巻取りドラム２が配される側とは反対側の面が屋外側面となるものである。このインターロック結合Ｂの垂下状態において、上側インターロック結合部１ｂが、上端側ほど高くなるよう巻取りドラム２に向けて階段状に四段１ｅ、１ｆ、１ｇ、１ｈ折曲形成される一方、下側インターロック部７ｂが、吊元金具最下端のスラット７ｂの下端部において巻き取りドラム２側に向けてＵ字形に折曲７ｅされたものが、上側インターロック結合部１ｂを上側から包み込むようにして巻取りドラム２側に向けて逆Ｕ字形に湾曲７ｆし、さらにその湾曲先端部７ｇが上側インターロック結合部１ｂの前記三段目の折曲部１ｇに向くよう巻取りドラム２から離間する状態で折曲形成されており、そして垂下状態では湾曲先端部７ｇが四段目の折曲部１ｈを上側から載置する状態で支持し、スラット１ａ、７ａ同志の折曲状態では湾曲先端部７ｇの先端が三段目の折曲部１ｇに下側から当接する状態で支持するインターロック結合Ｂとなっており、このものでは、吊元金具７の屋外側に目視される部位の下端部は、上側インターロック結合部１ｂを越えた部位となるが、スラット１ａ、７ａの垂下状態（図９（Ｅ)）、折曲状態においてズレ防止をする必要があるため、ズレ防止金具８の上半部８ａは、スラット同士の折曲状態において屋外側（巻取りドラムが配される側とは逆側）から目視される部位である湾曲部７ｆの左右何れか一方の側縁に少なくとも当接するようにして組み付けられる。
【００２５】
図１０、図１１に示す第七、第八の実施の形態のものは、シャッターカーテン１がフォロー型のスラット１ａを用いて構成されるものであり、吊元金具７は、シャッターカーテン１を構成するスラット１ａとは異なる形状のもので構成されている。
そして第七の実施の形態のものは、巻取りドラム３が設けられる側とは反対側の面が屋外側面となるが、このものではズレ防止金具８は、上半部８ａが、吊元金具７の下側インターロック結合部７ｂの屋外側（巻取りドラムが配される側とは逆側）から目視される部位の下端部左右何れか一方の側縁に当接するようにして組み付けられる。
これに対し第八の実施の形態のものは、巻取りドラム２が配される側の面が屋外側面となるものであって、このものではズレ防止金具８は、上半部８ａが、屋外側（巻取りドラムが配される側とは逆側）から目視される部位の下端部であるインターロック結合部を越えた位置で吊元金具７の左右何れか一方の端縁に当接する状態で組み付けられている。
【産業上の利用可能性】
【００２６】
本発明は、建築物の出入口等の開口部に建て付けられる建築用シャッター装置に利用することができる。
【符号の説明】
【００２７】
１  シャッターカーテン
１ｂ  上側インターロック結合部
２  巻取りドラム
７  吊元金具
７ｂ  下側インターロック結合部
８  ズレ防止金具
９  ビス
Ｂ  インターロック結合
【図１】
2014105537.tif 000003
【図２】
2014105537.tif 000004
【図３】
2014105537.tif 000005
【図４】
2014105537.tif 000006
【図５】
2014105537.tif 000007
【図６】
2014105537.tif 000008
【図７】
2014105537.tif 000009
【図８】
2014105537.tif 000010
【図９】
2014105537.tif 000011
【図１０】
2014105537.tif 000012
【図１１】
2014105537.tif 000013